(57)【要約】【課題】利用者がリムーバブル記憶媒体を装置から抜き忘れた場合でも記憶媒体内の情報漏洩を確実に防止する。【解決手段】  画像処理装置は、アイドル状態を検知する手段と、ユーザによる画像処理装置の操作を検知する手段と、前記アイドル状態の検知に基づきアイドル時間を計時するタイマーと、リムーバブル記憶媒体の脱着状態を検出する脱着検出手段と、を有し、前記タイマーによる画像処理装置のアイドル状態の計時時間が所定の時間を経過し、かつその間にユーザによる装置の操作を検知しないことを条件に、前記脱着検出手段でリムーバブル記憶媒体が装着されていることを検知したとき利用者のリムーバブル記憶媒体の抜き忘れと判断し、前記判断に基づき記憶媒体内の情報を自動的に消去する。【選択図】  図２
2010205026.tif 000002
【特許請求の範囲】
【請求項１】
装置のアイドル状態を検知する手段と、ユーザによる装置の操作を検知する手段と、前記アイドル状態の検知に基づきアイドル時間を計時するタイマーと、リムーバブル記憶媒体の脱着状態を検出する脱着検出手段と、を有し、
前記タイマーによる装置のアイドル状態の計時時間が所定の時間を経過し、かつその間にユーザによる装置の操作を検知しないことを条件に、前記脱着検出手段がリムーバブル記憶媒体の装着状態を検知したとき、リムーバブル記憶媒体の抜き忘れと判断する手段と、前記判断に基づき記憶媒体内の情報を自動的に消去する手段と、を有することを特徴とする画像処理装置。
【請求項２】
装置のアイドル状態を検知する手段と、ユーザによる当該装置の操作を検知する手段と、前記アイドル状態の検知に基づきアイドル時間を計時するタイマーと、リムーバブル記憶媒体の脱着状態を検出する脱着検出手段と、を有し、前記タイマーによる装置のアイドル状態の計時時間が所定の時間を経過し、かつその間にユーザによる当該装置の操作を検知しないことを条件に、前記脱着検出手段がリムーバブル記憶媒体の装着状態を検知したとき、リムーバブル記憶媒体の抜き忘れと判断する手段と、前記判断に基づき記憶媒体内の情報を画像処理装置内の記憶装置にバックアップし、かつバックアップ後に前記リムーバブル記憶媒体内の情報を消去する手段と、を有することを特徴とする画像処理装置。
【請求項３】
請求項２に記載された画像処理装置において、
利用者ないし機器管理者の認証情報を前記記憶装置に記憶して登録する手段と、入力された利用者ないし機器管理者の認証情報を前記登録された認証情報に基づき認証する手段と、前記入力された利用者ないし機器管理者の認証情報が認証されたことを条件に、前記バックアップされた前記リムーバブル記憶媒体内の情報をリムーバブル記憶媒体に戻す手段と、を有することを特徴とする画像処理装置。
【請求項４】
請求項１ないし３のいずれかに記載された画像処理装置において、
前記タイマーによる装置のアイドル状態の計時時間が所定の時間を経過したとき、画像処理装置を省エネルギーモードへ移行させる手段を有することを特徴とする画像処理装置。
【請求項５】
請求項１ないし３のいずれかに記載された画像処理装置において、
前記所定の時間の設定を行う操作パネルを有することを特徴とする画像処理装置。
【請求項６】
請求項１ないし３のいずれかに記載された画像処理装置において、
前記リムーバブル記憶媒体の抜き忘れと判断する手段を無効にする手段を有することを特徴とする画像処理装置。
【請求項７】
対人センサーと、前記対人センサーが人を感知しないときにその人無感知時間を計時するタイマーと、リムーバブル記憶媒体の脱着状態を検出する脱着検出手段と、を有し、前記タイマーの計時時間が所定の時間を経過したことを条件に、前記脱着検出手段でリムーバブル記憶媒体の装着状態を検知したとき利用者のリムーバブル記憶媒体の抜き忘れと判断する手段と、前記判断に基づきリムーバブル記憶媒体内の情報を自動的に消去する手段と、を有することを特徴とする画像処理装置。
【請求項８】
室内の消灯を検知する消灯検知手段と、前記消灯検知手段が消灯を感知したときその消灯時間を計時するタイマーと、リムーバブル記憶媒体の脱着状態を検出する脱着検出手段と、を有し、前記タイマーの計時時間が所定の時間を経過したことを条件に、前記脱着検出手段でリムーバブル記憶媒体の装着状態を検知したとき、リムーバブル記憶媒体の抜き忘れと判断する手段と、前記判断に基づき記憶媒体内の情報を自動的に消去する手段と、を有することを特徴とする画像処理装置。
【発明の詳細な説明】
【技術分野】
【０００１】
本発明は画像処理装置に関し、ＵＳＢメモリカードやＳＤカード等の記憶媒体を利用する画像処理装置において、利用者が記憶媒体を画像処理装置から抜き忘れた場合にその記憶媒体の漏洩を防止できる機能を有する画像処理装置に関する。
【背景技術】
【０００２】
ＵＳＢメモリやＳＤカードなどの記憶媒体を用いたダイレクトプリント機能が知られており、また、セキュリティ機能として指紋認証機能付きのＵＳＢメモリも知られている。
また、ダイレクトプリントなどでの記憶媒体の情報漏洩防止を行うものも、例えば、特許文献１（特開２００６−３５０４２３号公報）により既に知られている。
特許文献１に記載されたデータ管理装置は、印刷装置にリムーバブル記憶媒体が取り付けられてマウント操作が行われると、ＣＰＵはそのリムーバブル記憶媒体に記憶されたデータを自動的に他の記憶媒体に記憶して、リムーバブル記憶媒体に記録されたデータを消去し、かつアンマウント操作が行われると、上記バックアップデータをリムーバブル記憶媒体に書き戻すように構成されている。
このデータ管理装置では、利用者が記憶媒体を印刷装置にセットする度にリムーバブル記憶媒体のデータは印刷装置内の記憶装置によるバックアップとデータの消去が実行され、利用者がその場に居る場合でも、リムーバブル記憶媒体を装置から外す際には必ず書き戻しとバックアップの消去が実行されるため、時間的ロスが大きい。とくに、近年はリムーバブル記憶媒体でもその記憶容量の大きなものが使用されており容量が大きくなると、書き戻しと消去のための時間的ロスが大きく使い物にならない。
さらに、リムーバブル記憶媒体を記憶装置にセットしながら利用者がマウントしないときや、アンマウント後に利用者がリムーバブル記憶媒体を抜き忘れると情報漏洩が発生するという問題もある。
【発明の概要】
【発明が解決しようとする課題】
【０００３】
本発明は、ＵＳＢメモリやＳＤカードなどのリムーバブル記憶媒体を利用する画像処理装置において、利用者がリムーバブル記憶媒体の抜き忘れた場合でも記憶媒体内の情報漏洩を確実に防止することを目的とする。
【課題を解決するための手段】
【０００４】
請求項１の発明は、装置のアイドル状態を検知する手段と、ユーザによる装置の操作を検知する手段と、前記アイドル状態の検知に基づきアイドル時間を計時するタイマーと、リムーバブル記憶媒体の脱着状態を検出する脱着検出手段と、を有し、前記タイマーによる装置のアイドル状態の計時時間が所定の時間を経過し、かつその間にユーザによる装置の操作を検知しないことを条件に、前記脱着検出手段がリムーバブル記憶媒体の装着状態を検知したとき、リムーバブル記憶媒体の抜き忘れと判断する手段と、前記判断に基づき記憶媒体内の情報を自動的に消去する手段と、を有することを特徴とする画像処理装置である。
請求項２の発明は、装置のアイドル状態を検知する手段と、ユーザによる当該装置の操作を検知する手段と、前記アイドル状態の検知に基づきアイドル時間を計時するタイマーと、リムーバブル記憶媒体の脱着状態を検出する脱着検出手段と、を有し、前記タイマーによる装置のアイドル状態の計時時間が所定の時間を経過し、かつその間にユーザによる当該装置の操作を検知しないことを条件に、前記脱着検出手段がリムーバブル記憶媒体の装着状態を検知したとき、リムーバブル記憶媒体の抜き忘れと判断する手段と、前記判断に基づき記憶媒体内の情報を画像処理装置内の記憶装置にバックアップし、かつバックアップ後に前記リムーバブル記憶媒体内の情報を消去する手段と、を有することを特徴とする画像処理装置である。
請求項３の発明は、請求項２に記載された画像処理装置において、利用者ないし機器管理者の認証情報を前記記憶装置に記憶して登録する手段と、入力された利用者ないし機器管理者の認証情報を前記登録された認証情報に基づき認証する手段と、前記入力された利用者ないし機器管理者の認証情報が認証されたことを条件に、前記バックアップされた前記リムーバブル記憶媒体内の情報をリムーバブル記憶媒体に戻す手段と、を有することを特徴とする画像処理装置である。
請求項４の発明は、請求項１ないし３のいずれかに記載された画像処理装置において、前記タイマーによる装置のアイドル状態の計時時間が所定の時間を経過したとき、画像処理装置を省エネルギーモードへ移行させる手段を有することを特徴とする画像処理装置である。
請求項５の発明は、請求項１ないし３のいずれかに記載された画像処理装置において、前記所定の時間の設定を行う操作パネルを有することを特徴とする画像処理装置である。
請求項６の発明は、請求項１ないし３のいずれかに記載された画像処理装置において、前記リムーバブル記憶媒体の抜き忘れと判断する手段を無効にする手段を有することを特徴とする画像処理装置である。
請求項７の発明は、対人センサーと、前記対人センサーが人を感知しないときにその人無感知時間を計時するタイマーと、リムーバブル記憶媒体の脱着状態を検出する脱着検出手段と、を有し、前記タイマーの計時時間が所定の時間を経過したことを条件に、前記脱着検出手段でリムーバブル記憶媒体の装着状態を検知したとき利用者のリムーバブル記憶媒体の抜き忘れと判断する手段と、前記判断に基づきリムーバブル記憶媒体内の情報を自動的に消去する手段と、を有することを特徴とする画像処理装置である。
請求項８の発明は、室内の消灯を検知する消灯検知手段と、前記消灯検知手段が消灯を感知したときその消灯時間を計時するタイマーと、リムーバブル記憶媒体の脱着状態を検出する脱着検出手段と、を有し、前記タイマーの計時時間が所定の時間を経過したことを条件に、前記脱着検出手段でリムーバブル記憶媒体の装着状態を検知したとき、リムーバブル記憶媒体の抜き忘れと判断する手段と、前記判断に基づき記憶媒体内の情報を自動的に消去する手段と、を有することを特徴とする画像処理装置である。
【発明の効果】
【０００５】
リムーバブル記憶媒体を利用する画像処理装置において、利用者がリムーバブル記憶媒体を抜き忘れた場合における情報の漏洩を確実に防止すると共に、情報保護のために、漏洩の危険性が高まった場合だけ情報保護処理を行うため、従来のような時間のロスを防止することができる。
また、漏洩防止のため、バックアップされた情報は、機器に登録された利用者ないし機器管理者の認証情報がなければ書き戻しができないため、リムーバブル記憶媒体に記録した情報の一層の安全管理が可能である。
【図面の簡単な説明】
【０００６】
【図１】本発明の実施形態に係る画像処理装置の構造を概略的に示すブロック図である。
【図２】本実施形態の画像処理装置における上記メンテナンス制御について説明したフロー図である。
【図３】本実施形態の画像処理装置における上記メンテナンス制御について説明した他のフロー図である。
【図４】本実施形態の画像処理装置における上記メンテナンス制御について説明した他のフロー図である。
【図５】バックアップした情報をリムーバブル記憶媒体へ書き戻しを行う場合の処理手順を説明するフロー図である。
【発明を実施するための形態】
【０００７】
本発明の実施形態を添付図面を参照して説明する。
図１は、本発明の実施形態に係る画像処理装置を概略的に示すブロック図である。
画像処理装置１０は、ＵＳＢ（Universal Series Bus）メモリやＳＤカード、超小型のハードディスクなどのリムーバブル記憶媒体の記憶内容の読取、書き込み、消去を行うリムーバブル記憶媒体装置１０１と、画像処理装置全体を制御するＣＰＵ１０２と、ＲＡＭ及びＲＯＭから成る主記憶装置（メモリ）１０３と、画像処理装置１０と外部機器とを接続する入出力Ｉ／Ｆ１０４と、ユーザが動作を指示する例えばタッチキー等の操作用キーを表示する表示手段等から成る操作パネル１０５と、例えばリムーバブル記憶媒体の情報をバックアップして記憶する記憶装置（ＨＤＤ）１０６と、画像処理を行うための画像処理エンジン１０７、及び図示しないタイマーから成っている。
【０００８】
ここで、リムーバブル記憶媒体は、従来同様、例えば、フォントデータ、アプリケーションデータ、文書データなどが記憶されている。
操作パネルは、記憶装置１０６に記憶された登録済みの操作者や装置管理者の識別情報（ＩＤ）等を入力したり、表示手段に表示され項目の選択操作等を行うＧＵＩ機能を有する入力操作手段とを有している。
ＣＰＵ１０２は、ＲＯＭに格納されたプログラムにより、画像処理装置のアイドル状態を検知する機能と、自身のタイマーで装置のアイドル状態が所定の時間が経過したことを検出する機能と、リムーバブル記憶媒体のリムーバブル記憶媒体装置１０１への脱着状態を検出する機能と、利用者の装置の操作を検出する機能とを有している。
また、操作を検出する機能により、上記アイドル状態において所定時間経過しても利用者による上記操作がなく、上記のリムーバブル記憶媒体の脱着状態を検出する機能で記憶媒体がセットされている状態を検出したとき、利用者の記憶媒体の抜き忘れと判断し、記憶媒体内の情報を自動的に消去する機能を実行するなどの、リムーバブル記憶媒体の以下に示メンテナンス制御を実行する。
以下このメンテナンス制御について説明する。
【０００９】
図２ないし図４は、本実施形態の画像処理装置１０において、ＣＰＵ１０２が行う上記メンテナンス制御における処理手順を説明するフロー図である。
図２において、ＣＰＵ１０２は、画像処理装置１０がアイドル状態を検出中に、利用者の操作パネルからの操作入力があるか否かを常に監視している（Ｓ１０１）。ここで、操作入力があれば（Ｓ１０１、ＹＥＳ）、その入力操作に従った操作処理を行う（Ｓ１０２）。操作入力がなければ（Ｓ１０１、ＮＯ）、上記タイマーで計時しているアイドル状態にある時間が所定時間の経過を検知したか否か判断する（Ｓ１０３）。ここで、所定時間の経過を検知しなければそのまま操作入力の監視をつづけ（Ｓ１０３、ＮＯ）、所定時間の経過を検知したときは（Ｓ１０３、ＹＥＳ）、リムーバブル記憶媒体がリムーバブル記憶媒体装置１０１にセットされているか否か判断する（Ｓ１０４）。ここで、リムーバブル記憶媒体がセットされていないと判断したときは（Ｓ１０４、ＮＯ）、上記タイマーをリセットして利用者の操作開始を待つ（Ｓ１０５）。リムーバブル記憶媒体がセットされていると判断したときは（Ｓ１０４、ＹＥＳ）、ＣＰＵ１０２はリムーバブル記憶媒体内の情報を消去し（Ｓ１０６）、利用者の操作開始を待つ。
【００１０】
本実施形態の処理では、従来のようにリムーバブル記憶媒体を利用する毎に毎回、消去・書き戻しが発生しないので、利用者がその場に居る場合でも従来のように時間的ロスが必ず発生することはない。他方、利用しない状態で放置された時に、セットされているリムーバブル記憶媒体内の情報を自動的に消去するので、記憶装置にセットしながら利用者がマウントしない状態や、アンマウント後に利用者が記憶媒体を抜き忘れると、情報漏洩が発生するという従来の問題を解消することができる。
【００１１】
図３は、本実施形態の画像処理装置において、ＣＰＵが行う上記メンテナンス制御における他の処理手順を説明するフロー図である。
この処理においては、ＣＰＵ１０２は、アイドル（待機）状態で、利用者の操作が無い状態で所定の時間の経過を検知し、リムーバブル記憶媒体２０がリムーバブル記憶媒体装置１０１にセットされている時、リムーバブル記憶媒体内の情報を画像処理装置内の記憶装置（ＨＤＤ）にバックアップし、その後にリムーバブル記憶媒体内の情報を消去する。
【００１２】
この処理手順は、上記図２の処理手順において、記憶媒体内の情報を消去する処理の前にリムーバブル記憶媒体の内容を画像処理装置内の記憶装置にバックアップする処理が追加されており、他の処理手順は図２のものと同様である。
即ち、図３において、ＣＰＵ１０２は、画像処理装置１０がアイドル状態を検出中に、利用者の操作パネルからの操作入力があるか否かを常に監視している（Ｓ２０１）。ここで、操作入力があれば（Ｓ２０１、ＹＥＳ）、その入力操作に従った操作処理を行う（Ｓ２０２）。操作入力がなければ（Ｓ２０１、ＮＯ）、上記タイマーで計時しているアイドル状態にある時間が所定時間の経過を検知したか否か判断する（Ｓ２０３）。ここで、所定時間の経過を検知しなければそのまま操作入力の監視をつづけ（Ｓ２０３、ＮＯ）、所定時間の経過を検知したときは（Ｓ２０３、ＹＥＳ）、リムーバブル記憶媒体がリムーバブル記憶媒体装置１０１にセットされているか否か判断する（Ｓ２０４）。ここで、リムーバブル記憶媒体がセットされていないと判断したときは（Ｓ２０４、ＮＯ）、上記タイマーをリセットして利用者の操作開始を待つ（Ｓ２０５）。リムーバブル記憶媒体がセットされていると判断したときは（Ｓ２０４、ＹＥＳ）、ＣＰＵ１０２の指示によりリムーバブル記憶媒体装置１０１で読み出したリムーバブル記憶媒体２０の情報を画像処理装置内の記憶装置１０６に記憶し（Ｓ２０６）、続いてリムーバブル記憶媒体２０の情報を消去し（Ｓ２０７）、利用者の操作開始を待つ。
【００１３】
図４は、本実施形態に係る画像処理装置の上記メンテナンス制御における他の処理手順を説明するフローチャートである。
この処理手順は、図３に示す処理においてリムーバブル記憶媒体内の情報を画像処理装置内の記憶装置（ＨＤＤ）にバックアップする際に、リムーバブル記憶媒体内に利用者ＩＤがある場合は、その利用者ＩＤでバックアップし、利用者ＩＤが無い場合は、画像処理装置の管理者ＩＤでバックアップする処理が付加されている。
【００１４】
即ち、図４において、ＣＰＵ１０２は、画像処理装置１０がアイドル状態を検出中に、利用者の操作パネルからの操作入力があるか否かを常に監視している（Ｓ３０１）。ここで、操作入力があれば（Ｓ３０１、ＹＥＳ）、その入力操作に従った操作処理を行う（Ｓ３０２）。操作入力がなければ（Ｓ３０１、ＮＯ）、上記タイマーで計時しているアイドル状態にある時間が所定時間の経過を検知したか否か判断する（Ｓ３０３）。ここで、所定時間の経過を検知しなければそのまま操作入力の監視をつづけ（Ｓ３０３、ＮＯ）、所定時間の経過を検知したときは（Ｓ３０３、ＹＥＳ）、リムーバブル記憶媒体がリムーバブル記憶媒体装置１０１にセットされているか否か判断する（Ｓ３０４）。ここで、リムーバブル記憶媒体がセットされていないと判断したときは（Ｓ３０４、ＮＯ）、上記タイマーをリセットして（Ｓ３０５）、利用者の操作開始を待つ。
ＣＰＵ１０２がリムーバブル記憶媒体２０がセットされていると判断したときは（Ｓ３０４、ＹＥＳ）、リムーバブル記憶媒体２０内に利用者ＩＤ（識別情報）があるか否かチェックし（Ｓ３０６）、利用者ＩＤがリムーバブル記憶媒体２０内にあると判断したときは（Ｓ３０６、ＹＥＳ）、利用者ＩＤでリムーバブル記憶媒体２０内の情報を画像処理装置内の記憶装置にバックアップする（Ｓ３０７）。ＣＰＵ１０２が利用者ＩＤがリムーバブル記憶媒体２０内にないと判断したときは（Ｓ３０６、ＮＯ）、管理者ＩＤでリムーバブル記憶媒体２０内の情報を画像処理装置内の記憶装置１０６にバックアップする（Ｓ３０８）する。
何れの場合も、ＣＰＵ１０２は、その後、リムーバブル記憶媒体２０の情報を消去して（Ｓ３０９）、利用者の操作開始を待つ。
【００１５】
次に、一旦画像処理装置内の記憶装置１０６にバックアップした情報をリムーバブル記憶媒体２０へ書き戻しを行う処理について説明する。
図５は、リムーバブル記憶媒体２０の情報を画像処理装置内の記憶装置１０６にバックアップしたとき、リムーバブル記憶媒体２０へ書き戻しを行う場合の処理手順を説明するフロー図である。
書き戻しの際には、まず操作パネルで操作者の認証が行われる。認証されると、認証したＩＤでバックアップされている情報のリストが図示しない操作パネルに表示される。利用者は操作パネルから表示された情報を選択し、消去かリストアかを選択する。消去の場合は、画像処理装置内の記憶装置内の該当する情報が消去され、リストアを選択した場合は、選択した情報をリムーバブル記憶媒体にリストアし、その後に画像処理装置内の記憶装置内の該当する情報が消去される。
【００１６】
即ち、アイドル（待機）状態において、操作者が操作パネルから例えばＩＤや暗証番号などを入力するなどの認証操作を行うと、ＣＰＵ１０２は例えば記憶装置１０６に記憶されている認証と一致するかどうか判断し（Ｓ４０１）、一致していなければ（Ｓ４０１、ＮＯ）、エラー処理を行い（Ｓ４０２）、一致していれば（Ｓ４０１、ＹＥＳ）、認証ＩＤでバックアップされて記憶装置１０６に記憶されたデータのリストを表示し、操作者がそのリストから消去されたリムーバブル記憶媒体のデータを選択する（Ｓ４０３）。ここで操作者は消去するか否かを選択する（Ｓ４０４）。「消去しない」を選択したときは（Ｓ４０４、ＮＯ）、選択したデータをリムーバブル記憶媒体にリストアした後（Ｓ４０６）、また、「消去する」を選択したときは（Ｓ４０４、ＹＥＳ）そのまま、いずれの場合も選択したデータを画像処理装置内の記憶装置１０６から削除し（Ｓ４０７）、画像処理装置は元のアイドル状態に戻る。
【００１７】
以上、本発明の実施形態に係る画像処理装置とその画像処理装置で行う上記メンテナンス制御について説明したが、上記実施形態の処理手順において、自身のタイマーで操作入力からの時間を計時し、所定時間が経過したのを検知するのに代えて、例えば、画像処理装置の近傍に対人センサー１０９を設けておき、対人センサー１０９で人を検出しなくなったタイミングで計時を開始してもよい。
その場合のメンテナンス制御における処理手順は、図２の処理手順のステップＳ１０３、図３の同ステップ２０３、図４の同ステップＳ３０３の「所定時間の経過を検知？」は「対人センサー」が「所定時間の経過を検知？」の意味になる。それ以外の処理手順は変わらない。
【００１８】
また、別の手法として、操作入力からの時間を計時する代わりに、光センサー１０８を画像処理装置を配置した室内に設置して、光センサー１０８が室内の消灯を感知したタイミングを利用することもできる。
即ち、その場合のメンテナンス制御における処理手順は、図２の処理手順のステップＳ１０３、図３の同ステップＳ２０３、図４の同ステップＳ３０３の「所定時間の経過を検知？」は、「光センサーが」が「所定時間の経過を検知？」の意味になり、それ以外の処理手順は変わらない。
また、以上の対人センサー１０９や光センサー１０８に連動させて、画像処理装置を省エネルギーモードに切り替えるようにしてもよい。
【００１９】
ＣＰＵ１０２が検出する上記所定の時間は、操作パネルから設定することができる。また、リムーバブル記憶媒体内の情報を保護するため、画像処理装置側で上記メンテナンス制御の作動／不作動をＯＮ／ＯＦＦに切り替えることもできる。
その操作は管理者のみができるように、例えば暗証を入力したときのみ操作可能な操作ボタンを設けてもよいし、あるいはキー操作が必要な場所、つまりキーでロックされた場所に操作ボタンを設置してもよい。
【符号の説明】
【００２０】
１０・・・画像処理装置、２０・・・リムーバブル記憶媒体、１０１・・・リムーバブル記憶媒体装置、１０２・・・ＣＰＵ、１０３・・・主記憶装置、１０４・・・入出力Ｉ／Ｆ、１０５・・・操作パネル、１０６・・・記憶装置、１０７・・・画像処理エンジン、１０８・・・光センサー、１０９・・・対人センサー。
【先行技術文献】
【特許文献】
【００２１】
【特許文献１】特開２００６−３５０４２３号公報
【図１】
2010205026.tif 000003
【図２】
2010205026.tif 000004
【図３】
2010205026.tif 000005
【図４】
2010205026.tif 000006
【図５】
2010205026.tif 000007